(57)【特許請求の範囲】
【請求項１】
中心軸線に沿って鍵孔を形成した内筒と、この内筒と回動可能に嵌合する外筒と、これら内筒及び外筒を半径方向に貫通すると共に、内筒の中心軸線方向に付勢されたタンブラーピンとドライバーピンとの組を夫々摺動可能に収納した複数の段付のピン孔を有し、これらのピン孔を内筒の母線方向に沿う第１配列方向に所定の展開パターンで配列したｎ（ｎ：３以上の正の整数）列のピン列を、内筒の中心軸線回りの第２配列方向に所定の角度間隔で配設し、鍵孔に合鍵が挿入され、その表面における窪みが対応するタンブラーピンの内端と係合したとき、各ピン孔におけるタンブラーピンとドライバーピンとの接合部がシアーラインに揃うようにしたものにおいて、上記ピン列の第１配列方向に沿う第１展開パターンをロット毎にｎ種類、相互に相異なるように定め、第２配列方向におけるｎ列のピン列の夫々に、ｎ種類の第１展開パターンの夫々を任意に割り当て、ｎ列のピン列が全部同一の第１展開パターンとなる場合を除き、第１及び第２配列方向に展開したピン孔の展開パターンの種類を鍵違いに組み入れると共に、施解錠のため鍵孔に挿入された合鍵を、最初の鍵挿入角度位置以外の角度位置では引抜くことができないようにしたことを特徴とするマルチピンシリンダ錠。
【発明の詳細な説明】
【０００１】
【発明の属する技術分野】
この発明は、マルチピンシリンダ錠に係り、特に、従来のものと比較して鍵違いを格段に多くすることができると共に、作動が確実である新規なマルチピンシリンダ錠に関する。
【０００２】
【従来の技術】
ピンシリンダ錠は、周知のように、内筒と外筒を貫通する複数のピン孔の夫々に、内筒の中心軸線方向に付勢されたタンブラーピンとドライバーピンの組を収納し、鍵孔に合鍵が挿入され、鍵溝が対応するタンブラーピンの内端と係合したとき、タンブラーピンとドライバーピンの接合部がシアーラインに整合するように構成したものである。
【０００３】
【発明が解決しようとする課題】
しかして、近年、従来の平板よりなる合鍵ではなく、断面形状が円形又はこれに近い棒状の合鍵を採用し、一方、内筒又は外筒の母線に沿って従来１列のみ設けられたピン列を円周方向に沿って複数列配設し、以てピンタンブラーの数を増大させて鍵違いを多くできるピンシリンダ錠（以下マルチピンシリンダ錠という）が提案されている。
【０００４】
このようなマルチピンシリンダ錠においては、製造及び管理を容易にするため、例えば図６に示すようなピン孔の内筒（外筒）母線方向（以下第１配列方向という）における配列（１次元的な展開パターン：以下第１展開パターンＰという）を一定にすると共に、第１展開パターンを内筒中心軸線回りの円周方向（以下第２配列方向という）に等角度間隔で配列するのが普通の設計である。
【０００５】
このように設計されたマルチピンシリンダ錠では、例えば第２配列方向において４列の第１展開パターンのピン列が等角度間隔で配設されているとした場合、合鍵を内筒の鍵孔に挿入してから施錠、或いは解錠方向に９０度回す毎に、内筒の外周面におけるピン孔の開口と、外筒の内周面におけるピン孔の開口とが、お互いに違うピン孔であるにも拘らず、整合することになる。
【０００６】
この場合には、合鍵を鍵孔から抜くことができ、施錠或いは解錠操作が完了していないにも拘らず完了したと勘違いし、例えば施錠の場合にはその侭外出してしまうから防犯上大変危険である。
【０００７】
そこで、従来、第２配列方向におけるｎ（ｎ：３以上の正の整数）列のピン列の第１展開パターンを全部異なるものとし、以って上記した錠前の危険性を解消しようとしていた。
【０００８】
この発明は、第１及び第２配列方向に展開したピン孔の展開パターンの種類によっても鍵違いを得ることができることに着目し、施錠あるいは解錠操作の途中で鍵を抜き出すことの危険性を排除することは勿論のこととして、ピン孔の数を増やさずに鍵違いを更に増大できるマルチピンシリンダ錠の構造を提供することを目的としている。
【０００９】
【課題を解決するための手段】
上記の目的を達成するため、この発明は、中心軸線に沿って鍵孔を形成した内筒と、この内筒と回動可能に嵌合する外筒と、これら内筒及び外筒を半径方向に貫通すると共に、内筒の中心軸線方向に付勢されたタンブラーピンとドライバーピンとの組を夫々摺動可能に収納した複数の段付のピン孔を有し、これらのピン孔を内筒の母線方向に沿う第１配列方向に所定の展開パターンで配列したｎ（ｎ：３以上の正の整数）列のピン列を、内筒の中心軸線回りの第２配列方向に所定の角度間隔で配設し、鍵孔に合鍵が挿入され、その表面における窪みが対応するタンブラーピンの内端と係合したとき、各ピン孔におけるタンブラーピンとドライバーピンとの接合部がシアーラインに揃うようにしたものにおいて、上記ピン列の第１配列方向に沿う第１展開パターンをロット毎にｎ種類、相互に相異なるように定め、第２配列方向におけるｎ列のピン列の夫々に、ｎ種類の第１展開パターンの夫々を任意に割り当て、ｎ列のピン列が全部同一の第１展開パターンとなる場合を除き、第１及び第２配列方向に展開したピン孔の展開パターンの種類を鍵違いに組み入れると共に、施解錠のため鍵孔に挿入された合鍵を、最初の鍵挿入角度位置以外の角度位置では引抜くことができないようにしたことを特徴とする。
【００１０】
【実施例】
以下、この発明の実施例を図面を参照して説明する。
図１において符号１は合鍵の全体を示し、この合鍵１は断面が円形の、すなわち丸棒状の本体部２を備えている。
【００１１】
この本体部２の先端は、合鍵の鍵孔挿入時タンブラーピンを外筒側に押動できるようにテーパ部３となっている。
【００１２】
また、合鍵の重量を減少させるため、合鍵の中心軸付近の肉を盗んで本体部を筒状にしてもよい。
【００１３】
更にまた、本体部２の外周面には、例えば摺り鉢形の窪み４が形成されている。通常は多数の窪み４が形成されているが、図１においては、図面を明瞭にするため、ただ１個の窪みのみが描かれている。
【００１４】
この窪み４の深さは、１個の窪みにつき例えば４〜５種類有り、合鍵の表面における窪み４、４の展開パターンが定められた場合、窪み４の深さの差により鍵違いを得るようにしていることは従来のピンシリンダ錠と同様である。
【００１５】
一方、図２及び図３において符号５は内筒を、符号６は内筒５と同軸の外筒を夫々示し、これ等内筒５及び外筒６は夫々厚肉の円筒体であり、内筒５には、その中心軸線に沿って、断面が円形の鍵孔１０が形成されている。
【００１６】
また、内筒５及び外筒６は回動可能に嵌合しており、内筒５の前端に形成されたフランジ７、内筒５の後端部分に嵌着されているＣリング等の止め輪８（図３参照）により、内筒５の抜け止めが施されている。
【００１７】
更にまた、図２に示すように、内筒５及び外筒６を半径方向に貫通するようにして、図面を明瞭にするために付番しない複数の段付のピン孔が形成されており（図２においては１個のみ）、各ピン孔には、内側から順に、段付のタンブラーピン９、ドライバーピン１１及び圧縮コイルばねとしてのピンばね１２が夫々摺動可能に収納されている。
【００１８】
従来のピンシリンダ錠では、ピン孔の外筒外周面における開口を覆い、ピンばね１２が外れてしまうことを防止するため母線方向に沿う細長い板材を外筒に嵌め込んであるが、この発明によるピンシリンダ錠においては、ピン孔の開口が外筒外周面全域に分布することがあるため、外筒６の外側に薄肉のばね押え筒１３が嵌合している。
【００１９】
尤も、ピン孔の開口の分布及び数によっては、従来のピンシリンダ錠のように外筒６の母線方向に沿う細長い板材（図示せず）を填め込んでもよい。
【００２０】
なお、図１において符号１４は合鍵の本体部２の基部に突設された位置決めピンを、図２において符号１５は内筒の前端面において鍵孔１０の近傍に形成された位置決め凹陥部を夫々示し、合鍵の鍵孔への挿入時、位置決めピン１４を位置決め凹陥部１５に係合させることにより、内筒５の中心軸線回りの合鍵の角度位置を規定する。
【００２１】
しかして、この発明によるマルチピンシリンダ錠は、図４に示すように、４列のピン列１６、１６が等角度間隔で第２配列方向に配設されているものとし、その角度位置は、例えば、図２における凹陥部１５を時計盤面に換算して１２時の角度位置とすれば、３時、６時、９時及び１２時の角度位置に夫々ピン列が配設されているものとする。
【００２２】
そして、ピン列１６の第１配列方向に沿う第１展開パターンをロット（生産単位）毎にｎ種類（図示の実施例では４種類）、相互に相異なるように定め、第２配列方向における４列のピン列の夫々に、４種類の第１展開パターンの夫々を任意に割り当てる。
【００２３】
ただし、４列のピン列１６、１６が全部同じ第１展開パターンとなる組み合わせを排除する。それは、前記したように、４列全部が同じ第１展開パターンで、しかも等角度間隔（図示の実施例では９０度間隔）で配設されていると、合鍵による内筒の９０度の回動毎に合鍵を鍵孔から抜くことができるからである。
【００２４】
一方、４列のピン列の少なくとも何れか１列の第１展開パターンが他のピン列と異なっていると、内筒５を例えば時計方向に９０度回す毎に内筒５のピン列と外筒６のそれとが整合するが、何れかの角度位置において、図５に示すように、少なくとも１個のタンブラーピン９が外筒内周面に開口したピン孔と整合しない。
【００２５】
この状態で合鍵を鍵孔から引抜こうとすると、窪み４の斜面とタンブラーピン９の内端との間に生じる楔作用により、各タンブラーピン９は外方に移動しようとするが、上記した外筒のピン孔と整合しないタンブラーピンは少なくとも外端面の一部が外筒内周面（シアーライン１７）に衝止されてそれ以上外方に移動できないので、結局合鍵１を鍵孔１０から引抜くことができない。
【００２６】
したがって、合鍵を最初の挿入角度位置にまで回さないと合鍵を引抜くことはできず、途中で合鍵を抜くことに起因する種々の不都合を完全に防止することができる。
【００２７】
前記したように、４列のピン列の夫々に、４種類の第１展開パターンの夫々を任意に割り当て、４列のピン列が全部同一の第１展開パターンとなる場合を除いた場合のピン孔の展開パターンの種類は４4 −４＝２５２（ｎ列の場合はｎn−ｎ）である。
【００２８】
それは、第２配列方向におけるｎ列のピン列の夫々に、ｎ種類の第１展開パターンを任意に割り当てるときの割り当てかたがｎn通り、ｎ列のピン列が全部同一の第１展開パターンとなる割り当てかたがｎ通りだからである。
【００２９】
一方、従来のマルチピンシリンダ錠のように、４列のピン列１６、１６が全部異なる第１展開パターンの場合は、４×３×２×１の２４種類である。
【００３０】
この場合、従来のマルチピンシリンダ錠とこの発明の一実施例によるマルチピンシリンダ錠とは、ピン孔の数は同じであるとしても、この発明の適用により、鍵違いが約１０倍以上増えたことになる。
【００３１】
一般的に言って第２配列方向においてｎ列のマルチピンシリンダ錠では、この発明の適用による鍵違いの増大比は、（ｎn−ｎ）／ｎ！（ｎの階乗）であり、ｎが大きくなると鍵違いの増大比も大きくなる。
【００３２】
なお、この発明は、図示の実施例に限定されることなく、種々に変形して実施することができる。
【００３３】
例えば、図示の実施例では合鍵の横断面形状を円形とし、そのため合鍵の第２配列方向の角度位置を一定にするため位置決めピン１４（図１参照）と凹陥部１５（図２参照）とを係合させるようにしたが、これは合鍵及び鍵孔の断面形状を円形ではなく例えば達磨形（図示せず）等異形としても同じ作用効果を得ることができる。
【００３４】
【発明の効果】
以上の発明から明らかなように、この発明は、第２配列方向における少なくとも１列のピン列の第１展開パターンＰを他のピン列と変えたので、合鍵の正規の抜き差しの角度位置の他の角度位置では合鍵を抜くことができず、施解錠操作の途中で合鍵を抜き去ることによって生じる防犯上の危険を防止することができる、という所期の効果を奏する。
【００３５】
また、ピン列の第１配列方向に沿う第１展開パターンＰをロット毎にｎ種類、相互に相異なるように定め、第２配列方向におけるｎ列のピン列の夫々に、ｎ種類の第１展開パターンの夫々を任意に割り当て、ｎ列のピン列が全部同一の第１展開パターンとなる場合を除き、第１及び第２配列方向に展開したピン孔の展開パターンの種類を鍵違いに組み入れるようにしたので、ピン孔の数が同じでも、鍵違いを格段に多くすることができる。
【００３６】
例えば、４列のピン列が夫々異なる第１展開パターンを有する場合、ピン孔の第１及び第２配列方向における全体の展開パターンの数は４×３×２で２４種類であるが、この発明によれば、ピン孔の展開パターンの増大による鍵違いの増大比は２５２となる、等種々の効果を奏する。
【図面の簡単な説明】
【図１】この発明の一実施例によるマルチピンシリンダ錠の合鍵の側面図で、図面を明瞭にするため１個の窪みのみを示す。
【図２】この発明の一実施例によるマルチピンシリンダ錠の一部断面正面図で、図面を明瞭にするため１組のタンブラーピン及びドライバーピンのみを示す。
【図３】この発明の一実施例によるマルチピンシリンダ錠の一部断面側面図。
【図４】この発明によるマルチピンシリンダ錠の構成を説明するための線図的正面図。
【図５】この発明によるマルチピンシリンダ錠の作動を説明するための一部断面側面図で、内筒と外筒の第１展開パターンが異なる場合を示す。
【図６】第１展開パターンの一例を示す内筒の平面図。
【符号の説明】
１  合鍵
２  本体部
４  窪み
５  内筒
６  外筒
９  タンブラーピン
１０  鍵孔
１１  ドライバーピン
１２  ピンばね
１４  位置決めピン
１５  位置決め凹陥部
１６  ピン列
１７  シアーライン
Ｐ  第１展開パターン
【図１】
0004062657.tif 000002
【図２】
0004062657.tif 000003
【図３】
0004062657.tif 000004
【図４】
0004062657.tif 000005
【図５】
0004062657.tif 000006
【図６】
0004062657.tif 000007